(57)【要約】【課題】本明細書は、バスバのインダクタンスを低減した電力変換器を提供する。【解決手段】本明細書が開示する電力変換器は、正極端子Ｐ１と負極端子Ｎ１を有している複数のパワーカードと複数の冷却器が交互に積層された積層ユニット２０と、正極端子Ｐ１を接続するＰバスバと、負極端子Ｎ１を接続するＮバスバを備える。積層ユニット２０では、一のパワーカードの正極端子Ｐ１と別のパワーカードの負極端子Ｎ１が積層方向に交互に並んでいる。Ｐバスバは、正極端子と負極端子の列に沿って伸びているＰバスバ本体４ａと、Ｐバスバ本体から分岐して正極端子と負極端子の間へ伸びているＰバスバ枝部４ｂと、Ｐバスバ枝部から伸びており正極端子と接合されるＰバスバ先端部４ｃを備える。Ｎバスバも同様である。そして、Ｐバスバ本体４ａとＮバスバ本体３ａが重なっているとともに、Ｐバスバ枝部４ｂとＮバスバ枝部４ｂが重なっている。【選択図】図４
2015136224.tif 000002
【特許請求の範囲】
【請求項１】
スイッチング素子を収容しており、前記スイッチング素子と導通している正極端子と負極端子を有している複数のパワーカードと、
前記複数のパワーカードと交互に積層されている複数の冷却器と、
複数の前記パワーカードの正極端子を接続する正極バスバと、
複数の前記パワーカードの負極端子を接続する負極バスバと、
を備えており、
一のパワーカードの正極端子と別のパワーカードの負極端子が積層方向に沿って交互に並んでおり、
前記正極バスバは、前記正極端子と前記負極端子の列に沿って伸びている正極バスバ本体と、前記正極バスバ本体から分岐して前記正極端子と前記負極端子の間へ伸びている正極バスバ枝部と、前記正極バスバ枝部から前記正極端子に沿って伸びており前記正極端子と接合される正極バスバ先端部と、を備えており、
前記負極バスバは、前記正極端子と前記負極端子の列に沿って伸びている負極バスバ本体と、前記負極バスバ本体から分岐して前記正極端子と前記負極端子の間へ伸びている負極バスバ枝部と、前記負極バスバ枝部から前記負極端子に沿って伸びており前記負極端子と接合される負極バスバ先端部と、を備えており、
前記正極バスバ本体と前記負極バスバ本体が重なっているとともに、前記正極バスバ枝部と前記負極バスバ枝部が重なっている、
ことを特徴とする電力変換器。
【請求項２】
前記複数のパワーカードと前記複数の冷却器が交互に積層されている積層ユニットの積層方向にコンデンサが配置されており、
前記正極バスバ本体が前記コンデンサの一方の端子と接続されており、前記負極バスバ本体が前記コンデンサの他方の端子と接続されていることを特徴とする請求項１に記載の電力変換器。
【請求項３】
前記電力変換器は、電圧コンバータ回路とインバータ回路を含んでおり、
前記電圧コンバータ回路のスイッチング素子を含むパワーカードが、前記インバータ回路のスイッチング素子を含むパワーカードよりも前記コンデンサの近くに配置されていることを特徴とする請求項２に記載の電力変換器。
【請求項４】
前記電力変換器は、電圧コンバータ回路とインバータ回路を含んでおり、
前記電圧コンバータ回路のスイッチング素子を含むパワーカードと前記コンデンサの間の導電経路の長さが、前記インバータ回路のスイッチング素子を含むパワーカードと前記コンデンサの間の導電経路の長さよりも短いことを特徴とする請求項２又は３に記載の電力変換器。
【請求項５】
前記パワーカードは２個の正極端子あるいは２個の負極端子を有しており、
前記複数のパワーカードと前記複数の冷却器が交互に積層されている積層ユニットは、一のパワーカードの正極端子と別のパワーカードの負極端子が積層方向に沿って交互に並ぶ列を２列有しており、
２列の夫々に対して、前記正極バスバと前記負極バスバの組が備えられている、
ことを特徴とする請求項１から４のいずれか１項に記載の電力変換器。
【発明の詳細な説明】
【技術分野】
【０００１】
本発明は、電力変換器に関する。特に、電動車両においてバッテリの電力を交流に変換して走行用モータに供給する電力変換器に関する。本明細書における「電動車両」には、走行用にモータを備えるがエンジンは備えない電気自動車、モータとエンジンの双方を備えるハイブリッド車、及び、燃料電池車を含む。
【背景技術】
【０００２】
電動車両の走行用モータは出力が大きい。それゆえ、バッテリの電力を交流に変換して走行用モータに供給する電力変換器も大電流を扱う。電力変換器は、多数のスイッチング素子（半導体素子あるいはトランジスタ）を備え、それらスイッチング素子群のスイッチング動作によって電圧変換や直流／交流変換を行う。スイッチング素子は、大電流を導通／遮断するので発熱量が大きく、それゆえ、電力変換器はスイッチング素子群を冷却する冷却器を備える。他方、車載デバイスには小型化が求められる。そこで、スイッチング素子群を集積して効率よく冷却する技術が提案されている（例えば特許文献１）。
【０００３】
特許文献１の技術では、スイッチング素子を収容した平板型の複数のパワーカードと複数の冷却器を交互に積層した積層ユニットを採用している。積層ユニットは、少ないスペースでパワーカードと冷却器の間の大きな接触面積を得ることができる。
【０００４】
一方、例えばバッテリの出力が５００［Ｖ］であり、走行用モータの出力が５０［ｋW］の場合、電力変換器には１００［Ａ］の電流が流れる。そのような大電流がスイッチング動作で脈動すると、スイッチング素子同士を電気的に接続するバスバのインダクタンスに起因する電力損失も無視できないほど大きくなる。特許文献１には、複数のパワーカードが積層されている積層ユニットの特徴を活かしてバスバのインダクタンスを低減する技術が開示されている。
【０００５】
なお、バスバとは、内部抵抗を小さくするため、ケーブルではなく、金属板あるいは金属棒を使った導電部材のことである。一般に、電力変換器では、いくつかのスイッチング素子の高電位側の電極（例えば、ＮＰＮ型トランジスタの場合はコレクタ電極やドレイン電極）が並列に接続されるとともに、別のスイッチング素子の低電位側の電極（例えばＮＰＮ型トランジスタの場合はエミッタ電極やソース電極）が並列に接続される。大電流が流れるスイッチング素子群の高電位側の電極同士、あるいは、低電位側の電極同士を接続するのにバスバが用いられる。
【０００６】
積層ユニットの場合、複数のパワーカードから延出しているコレクタ電極同士、あるいは、エミッタ電極同士を接続するのにバスバが用いられる。各パワーカードからはコレクタ電極（ドレイン電極）とエミッタ電極（ソース電極）が延出している。特許文献１では、コレクタ電極同士を接続するバスバと、エミッタ電極同士を接続するバスバを積層ユニットの積層方向に併走させる。そうすると、２本のバスバで電流が反対方向に流れることになり、各バスバが発生する磁界が打ち消し合い、インダクタンスが低減される。
【０００７】
なお、本明細書では、説明を簡単にするため、パワーカードから延出しているスイッチング素子の高電位側の電極と低電位側の電極をそれぞれ正極端子、負極端子と称する。パワーカード内で２個のスイッチング素子が直列に接続されている場合は、直列回路の高電位側の端子と低電位側の端子がパワーカードから延出する。夫々が正極端子と負極端子に対応する。また、複数のパワーカードの正極端子群を接続するバスバを正極バスバ、あるいは、Ｐバスバ（Positive Line Busbar）と称し、複数のパワーカードの負極端子群を接続するバスバを負極バスバ、あるいは、Ｎバスバ（Negative Line Busbar）と称する。
【先行技術文献】
【特許文献】
【０００８】
【特許文献１】特開２０１３−９０４０８号公報
【発明の概要】
【発明が解決しようとする課題】
【０００９】
特許文献１が開示する電力変換器の積層ユニットでは、積層された複数のパワーカードの正極端子群が積層方向に一列に並び、その隣に、負極端子群が一列に並んでいる。ＰバスバとＮバスバは、重なり合って、正極端子群の列と負極端子群の列の間を並走する。重なり合っているＰバスバとＮバスバからそれぞれ反対方向に複数の枝が分岐しており、Ｐバスバの各枝が各正極端子に接続しており、Ｎバスバの各枝が各負極端子に接続している。
【００１０】
本明細書が開示する技術は、ＰバスバとＮバスバの併走部分を更に拡大し、バスバのインダクタンスを一層低減する。
【課題を解決するための手段】
【００１１】
本明細書が開示する電力変換器は、次の構造を備えている。スイッチング素子を収容したパワーカードは、その筐体から同一方向に延出している正極端子と負極端子を有する。複数のパワーカードと複数の冷却器は、交互に積層されて積層ユニットを構成している。積層ユニットでは、一のパワーカードの正極端子と別のパワーカードの負極端子が積層方向に沿って交互に並ぶように、複数のパワーカードが配置されている。各パワーカードが積層方向と直交する方向に正極端子と負極端子を有している場合、２枚のパワーカードを背中合わせに配置すれば、積層方向に正極端子と負極端子が並ぶ。
【００１２】
ＰバスバとＮバスバは、夫々、正極端子と負極端子の列に沿って伸びている本体（Ｐバスバ本体、及び、Ｎバスバ本体）、本体から分岐して正極端子と負極端子の間に伸びている枝部（Ｐバスバ枝部、及び、Ｎバスバ枝部）、及び、枝部の途中で枝部から正極端子（負極端子）に沿って伸びておりその正極端子（負極端子）と接続しているバスバ先端部（正極端子と接続するＰバスバ先端部、及び、負極端子と接続するＮバスバ先端部）を備えている。Ｐバスバ本体とＮバスバ本体が重なっている。さらに、Ｐバスバ枝部とＮバスバ枝部は本体から同じ方向に延出しており、それらも重なっている。
【００１３】
特許文献１の電力変換器ではバスバ本体同士が重なっているだけであった。これに対して本明細書が開示する技術では、積層されている複数のパワーカードにおいて、一のパワーカードの正極端子と別のパワーカードの負極端子が積層方向に沿って交互に並ぶように複数のパワーカードを配置する。この構造によって、バスバ枝部まで重なるようにすることができ、バスバ枝部においてもインダクタンス低減効果を期待できる。
【００１４】
なお、パワーカードの数が偶数であれば、全てのＰバスバ枝部とＮバスバ枝部を重ねることができるが、パワーカードの数が奇数の場合には、一つのＰバスバ枝部と一つのＮバスバ枝部は重ねることができない。全てのバスバ枝部が重ならず、一部のバスバ枝部が重なっているだけでもインダクタンス低減効果を見込める。従って、一部のバスバ枝部が重なる態様も本明細書が開示する技術的思想に属する。また、「ＰバスバとＮバスバが重なっている」とは、絶縁板（あるいは絶縁コーティング）を挟んでＰバスバとＮバスバが接触している場合、あるいは、絶縁板のかわりに空隙（隙間）を挟んでＰバスバとＮバスバが対向している場合のいずれでもよい。後者の場合、空隙の大きさは、放電が生じないことと、ＰバスバとＮバスバの双方の磁界が相殺する作用効果が得られることを勘案して適宜に定められる。
【００１５】
一般に、インバータ回路の直流電力入力側、あるいは電圧コンバータ回路の出力側には電流の脈動を抑制するためにコンデンサが並列に接続される。即ち、上記パワーカードの正極端子と負極端子はコンデンサと接続されることが多い。それゆえ、本明細書が開示する電力変換器では、積層ユニットの積層方向にコンデンサを配置し、Ｐバスバ本体とＮバスバ本体をそれぞれ、コンデンサの端子と接続する構成を採用するとよい。積層ユニットの積層方向にコンデンサを配置することで全体がコンパクトになるとともに、バスバの配索が単純化される。
【００１６】
電力変換器が、電圧コンバータ回路とインバータ回路を備える場合、電圧コンバータ回路とインバータ回路には別々のパワーカードのスイッチング素子が割り当てられる。その場合、電圧コンバータ回路用のスイッチング素子を収容したパワーカードをインバータ回路用のスイッチング素子を収容したパワーカードよりもコンデンサの近くに配置するとよい。一般に電圧コンバータ回路のキャリア周波数はインバータ回路のキャリア周波数よりも高くすることができ、キャリア周波数を高くするほど、スイッチング素子の脈動による高周波電流が小さくなる。スイッチング素子の脈動の高周波電流が小さくなれば、コンデンサの容量を小さくする、あるいは、電圧コンバータ回路を構成するリアクトルとして、許容電流の小さいリアクトルを選定することができる。これらの効果は、電力変換器を構成するデバイスを小さくする、即ち、電力変換器を小さくすることに貢献する。
【００１７】
ただし、キャリア周波数が高いほど、スイッチング素子とコンデンサを接続するバスバのインダクタンスに起因する電力損失が大きくなる。即ち、インバータ回路に影響するインダクタンスを下げるよりも、電圧コンバータ回路に影響するインダクタンスを下げることで電圧コンバータ回路のキャリア周波数を高める方が電力変換器の性能を向上することができる。逆にいえば、キャリア周波数が高い電圧コンバータ用のスイッチング素子とコンデンサの間のインダクタンスを低減する方が、電力損失の抑制効果が大きい。そこで、電圧コンバータ回路用のスイッチング素子を収容したパワーカードをできるだけコンデンサの近くに配置することで、それらの間のバスバの長さ、即ち、それらの間の導電経路を短くするとよい。その結果、インダクタンスに起因する電力損失を効果的に低減することができる。即ち、電圧コンバータ回路用のスイッチング素子を収容したパワーカード（第１パワーカード）とインバータ回路用のスイッチング素子を収容したパワーカード（第２パワーカード）の配置に自由度があるならば、第１パワーカードを第２パワーカードよりも優先的にコンデンサの近くに配置するのがよい。
【００１８】
また、導電経路の電気抵抗は小さい方がよい。導電経路の電気抵抗を小さくするには、バスバの断面積を大きくする、あるいは、複数のバスバを並列に用いるとよい。そこで、本明細書が開示する電力変換器では、各パワーカードに２個の正極端子あるいは２個の負極端子を延出させ、積層されている複数のパワーカードにおいて、一のパワーカードの正極端子と別のパワーカードの負極端子が交互に並ぶ列を２列とし、２列の夫々に対して、ＰバスバとＮバスバの組を配置するとよい。
【発明の効果】
【００１９】
本明細書が開示する技術は、電力変換器においてバスバのインダクタンスを低減する。本明細書が開示する技術の詳細とさらなる改良は以下の「発明を実施するための形態」にて説明する。
【図面の簡単な説明】
【００２０】
【図１】実施例の電力変換器を含む電動車両の電力系のブロック図である。
【図２】積層ユニットの斜視図である。
【図３】パワーカード内の回路配線を説明する模式図である。
【図４】バスバを付けた積層ユニットの斜視図である。
【図５】バスバとコンデンサの分解図である。
【図６】バスバとコンデンサのアセンブリの斜視図である。
【図７】図４において符号ＶIIが示す範囲の拡大図である。
【図８】第２実施例の電力変換器を含む電動車両の電力系のブロック図である。
【図９Ａ】第２実施例におけるパワーカードＰＣ１１の内部の回路配線を説明する模式図である。
【図９Ｂ】第２実施例におけるパワーカードＰＣ１２の内部の回路配線を説明する模式図である。
【図１０】第２実施例における積層ユニットの斜視図である。
【図１１】第２実施例におけるバスバを付けた積層ユニットの斜視図である。
【図１２】第２実施例におけるバスバとコンデンサの分解図である。
【図１３】第２実施例におけるバスバとコンデンサのアセンブリの斜視図である。
【発明を実施するための形態】
【００２１】
（第１実施例）図面を参照して実施例の電力変換器を説明する。図１に電力変換器を含む電動車両１００の電力系のブロック図を示す。電動車両１００は、２個のモータ８３ａ、８３ｂを備える。それゆえ、電力変換器２は、２セットのインバータ回路１３ａ、１３ｂを備える。なお、２個のモータ８３ａ、８３ｂの出力は、動力分配機構８５で合成／分配されて車軸８６（即ち駆動輪）へと伝達される。
【００２２】
電力変換器２は、システムメインリレー８２を介してバッテリ８１と接続されている。電力変換器２は、バッテリ８１の電圧を昇圧する電圧コンバータ回路１２と、昇圧後の直流電力を交流に変換する２セットのインバータ回路１３ａ、１３ｂを含む。
【００２３】
電圧コンバータ回路１２は、２個のスイッチング素子Ｔ７、Ｔ８の直列回路、一端がその直列回路の中点に接続されており他端が入力側（バッテリ側）の高電位端子に接続されているリアクトル７、及び、入力側の高電位端子と低電位端子の間に接続されているフィルタコンデンサ５、各スイッチング素子に逆並列に接続されているダイオードで構成されている。低電位側のラインは電圧コンバータ回路１２の入力側と出力側で直接接続されており、これらは回路のグランド電位に保持される。
【００２４】
電圧コンバータ回路１２は、バッテリ８１の電圧を昇圧してインバータ回路１３ａ（１３ｂ）へ供給する動作（昇圧動作）と、インバータ回路１３ａ（１３ｂ）側から入力される直流電力を降圧してバッテリ８１へ供給する動作（降圧動作）の双方を行うことができる。前者の場合はスイッチング素子Ｔ８が主に貢献し、後者の場合はスイッチング素子Ｔ７が主に貢献する。図１の電圧コンバータ回路はよく知られているので詳細な説明は省略する。なお、符号ＰＣ７が示す破線矩形の範囲の回路が、後述するパワーカードＰＣ７に対応する。符号Ｐ１、Ｎ１は、パワーカードＰＣ７から延出している端子であって、夫々、スイッチング素子Ｔ７、Ｔ８の直列回路の高電位側の電極と接続されている端子（正極端子Ｐ１）と、低電位側の電極と接続されている端子（負極端子Ｎ１）を表している。次に説明するように、正極端子Ｐ１、負極端子Ｎ１という呼称は、他のパワーカードでも用いる。
【００２５】
インバータ回路１３ａは、２個のスイッチング素子の直列回路が３セット並列に接続された構成を有している（Ｔ１とＴ４、Ｔ２とＴ５、Ｔ３とＴ６）。各スイッチング素子にはダイオードが逆並列に接続されている。３セットの直列回路の高電位側の端子（正極端子Ｐ１）が電圧コンバータ回路１２の高電位側の出力端に接続されており、３セットの直列回路の低電位側の端子（負極端子Ｎ１）は電圧コンバータ回路１２の低電位側の出力端に接続されている。３セットの直列回路の中点から３相交流（Ｕ相、Ｖ相、Ｗ相）が出力される。３セットの直列回路の夫々が、後述するパワーカードＰＣ１、ＰＣ２、ＰＣ３に対応する。
【００２６】
インバータ回路１３ｂの構成はインバータ回路１３ａと同じであるため、図１では具体的な回路の図示を省略している。インバータ回路１３ｂもインバータ回路１３ａと同様に、２個のスイッチング素子の直列回路が３セット並列に接続された構成を有している。各直列回路が後述するパワーカードＰＣ４、ＰＣ５、ＰＣ６に対応する。
【００２７】
インバータ回路１３ａ、１３ｂの入力端に平滑化コンデンサ６が並列に接続されている。平滑化コンデンサ６は、別言すれば、電圧コンバータ回路１２の出力端に並列に接続されている。平滑化コンデンサ６は、電圧コンバータ回路１２の出力電流に重畳しているノイズ（スイッチング動作に伴う電流の脈動）を除去する。
【００２８】
スイッチング素子Ｔ１−Ｔ８は、トランジスタであり、典型的にはＩＧＢＴ（Insulated Gate Bipolar Transistor）であるが、他のトランジスタ、例えば、ＭＯＳＦＥＴ（Metal Oxide Semiconductor Field Effect Transistor）であってもよい。あるいは、将来的には異なるタイプのスイッチング素子が電力変換器に用いられるかもしれない。本明細書が開示する技術はバスバの構造にあり、スイッチング素子のタイプに依存しない。また、ここでいうスイッチング素子は、大電流の電力を変換することに用いられるものであり、パワー半導体素子と呼ばれることもある。
【００２９】
図１に破線ＰＣ１−ＰＣ７で囲んだように、電力変換器２は、２個のスイッチング素子の直列回路を７セット備えている。ハードウエアとしては、２個のスイッチング素子の直列回路、およびこれに付随するダイオードが一つのパッケージに収容されている。具体的には、２個のスイッチング素子とダイオードが樹脂で封止されており、その樹脂パッケージの内部でスイッチング素子が直列に接続されているとともに、各スイッチング素子にダイオードが逆並列に接続されている。また、半導体基板にスイッチング素子とダイオードがペアで作り込まれているデバイスもある。そのような樹脂パッケージを本明細書ではパワーカードと称する。即ち、電力変換器２は、７個のパワーカードＰＣ１−ＰＣ７を備える。前述したように、各パワーカードに付されている符号Ｐ１は、２個のスイッチング素子の直列回路の高電位側の電極に接続されている正極端子を表しており、符号Ｎ１は、低電位側の電極に接続されている負極端子を表している。なお、後述するように、３個のスイッチング素子を封止したパワーカードも本明細書が開示する電力変換器に採用することができる。３個のスイッチング素子を収容したパワーカードの場合、３個のスイッチング素子の高電位側の電極（あるいは低電位側の電極）が正極端子Ｐ１（あるいは負極端子Ｎ１）にまとめられてパワーカードの筐体から延出している。
【００３０】
図１において、符号３が示す破線内の導電経路は、複数のパワーカードの正極端子Ｐ１と平滑化コンデンサ６を相互に接続するＰバスバ（正極バスバ）に対応し、符号４が示す破線内の導電経路は、複数の負極端子Ｎ１と平滑化コンデンサ６を相互に接続するＮバスバ（負極バスバ）に対応する。Ｐバスバ３、Ｎバスバ４については後述する。
【００３１】
次に、電力変換器２のハードウエア構成を説明する。大電流を扱うスイッチング素子は発熱量も多い。複数のスイッチング素子を効率よく冷却するため、電力変換器２は、７個のパワーカードＰＣ１−ＰＣ７と複数の冷却器２１を交互に積層した積層ユニットを備える。図２に積層ユニット２０の模式的斜視図を示す。積層ユニット２０は、７枚のパワーカードＰＣ１−ＰＣ７と８枚の冷却器２１を交互に積層したものであり、各パワーカードはその両側を冷却器２１で挟まれている。複数の冷却器２１の内部は冷媒が通る空洞である。各冷却器２１の長手方向（図中のＸ軸方向）の両側に孔が設けられており、隣接する冷却器２１が連結管２４ａ、２４ｂで連結されている。積層方向の端に位置する冷却器２１には冷媒供給管２２と冷媒排出管２３が接続されている。冷媒供給管２２から供給された冷媒は、連結管２４ａを通じて全ての冷却器２１に分配される。冷媒は、各冷却器２１の内部を通過する間に隣接するパワーカードの熱を吸収し、他方の連結管２４ｂを通じて冷媒排出管２３へと送られる。なお、冷媒は、液体であり、例えば、水、あるいは、ＬＬＣ（Long Life Coolant）である。
【００３２】
各パワーカードの上面から３個の端子Ｐ１、Ｎ１、ＱＡが延出されている。即ち、スイッチング素子を収容しているパワーカードは、スイッチング素子と導通しているとともに同一方向に延出している正極端子Ｐ１と負極端子Ｎ１を有する。なお、図２では隠れて見えないが、各パワーカードの下面からは別の端子ＱＧが延出されている。図３に、パワーカードＰＣ１内の回路配線と端子の関係を模式的に表した説明図を示す。前述したように、パワーカードＰＣ１の内部では、２個のスイッチング素子Ｔ１とＴ４が直列に接続されている。直列回路の高電位側の電極はパワーカードＰＣ１の正極端子Ｐ１としてパワーカードの外部に延出されている。直列回路の低電位側の電極はパワーカードＰＣ１の負極端子Ｎ１としてパワーカードの外部に延出されている。直列回路の中点は出力端子ＱＡとしてパワーカードの外部に延出されている。各スイッチング素子（トランジスタ）のゲート電極は、ゲート端子ＱＧとしてパワーカードの外部に延出されている。なお、図３では、各スイッチング素子に逆並列に接続されているダイオードは図示を省略している。また、スイッチング素子Ｔ１、Ｔ４は図１にも図示されているので、電力変換器２の回路全体におけるスイッチング素子Ｔ１とＴ４の位置は、図１を参照されたい。他のパワーカードＰＣ２−ＰＣ７はパワーカードＰＣ１と同じ構成を有する。
【００３３】
図２に戻って説明を続ける。各パワーカードＰＣ１−ＰＣ７は、正極端子Ｐ１と負極端子Ｎ１を有する。正極端子Ｐ１と負極端子Ｎ１は、同じ方向に延出しており、積層方向の直交方向に並んでいる。積層ユニット２０では、隣接するパワーカードを背中合わせに配置する。そうすると、図２に示すように、一のパワーカードの正極端子Ｐ１と他のパワーカードの負極端子Ｎ１が積層方向に沿って交互に並ぶ。図２では、正極端子Ｐ１と負極端子Ｎ１に異なるハッチングを施し、区別し易くしている。
【００３４】
図１に戻り、２個のスイッチング素子の直列回路の接続について説明を補足する。図１においても２個のスイッチング素子の直列回路の高電位側の端子を符号Ｐ１（正極端子Ｐ１）で表し、低電位側の端子を符号Ｎ１（負極端子Ｎ１）で表している。即ち、図１に示すように、全てのパワーカードは並列に接続される。全てのパワーカードの正極端子Ｐ１を接続するのがＰバスバであり、全てのパワーカードの負極端子Ｎ１を接続するのがＮバスバである。図１において符号４が示す破線の範囲がＰバスバに相当し、符号３が示す破線の範囲がＮバスバに相当する。以下では、Ｐバスバ４、Ｎバスバ３と称する。
【００３５】
図４―図７を参照してバスバの構造を説明する。図４は、Ｐバスバ４とＮバスバ３を組み付けた積層ユニット２０の斜視図である。図４ではコンデンサユニット２５も描いてある。図５は、Ｐバスバ４、Nバスバ３、及び、コンデンサユニット２５のアセンブリの分解斜視図である。図６は、Ｐバスバ４、Nバスバ３、及び、コンデンサユニット２５のアセンブリの斜視図である。図７は、図４の符号ＶIIが示す範囲の拡大図である。図７では、バスバの構造の理解を深めるために、パワーカードとその端子（正極端子Ｐ１と負極端子Ｎ１）を仮想線で描いてある。Ｐバスバ４、Ｎバスバ３の形状が複雑であり、さらにＰバスバ４とＮバスバ３は部分的にオーバーラップしているので、図４−図７を相互に参照して夫々のバスバの形状を理解されたい。
【００３６】
まず、図５を参照して夫々のバスバの構造を説明する。Ｐバスバ４は一枚の金属板から作られているが、その形状は、Ｐバスバ本体４ａ、Ｐバスバ枝部４ｂ、Ｐバスバ先端部４ｃ、及び、コンデンサ接続部４ｄに分けられる。また、パワーカードＰＣ７とＰバスバを接続するために、他のＰバスバ枝部４ｂとは異なる特別のＰバスバ枝部４ｇが設けられている。図によく示されているように、Ｐバスバ４は、２本のバスバ本体４ａを有しており、夫々のＰバスバ本体４ａから複数のＰバスバ枝部４ｂが分岐している。
【００３７】
２本のＰバスバ本体４ａは、積層ユニット２０の積層方向に伸びている（図４参照）。Ｐバスバ枝部４ｂは、積層方向と交差する方向（図中のＸ軸方向）に伸びている。Ｐバスバ枝部４ｂは、その平面がパワーカードの端子（正極端子Ｐ１、負極端子Ｎ１）が突出している側面６１と平行になるように伸びている。なお、特別のＰバスバ枝部４ｇも、Ｐバスバ本体４ａから分岐している。Ｐバスバ先端部４ｃは、各パワーカードの正極端子Ｐ１と対向するように、Ｐバスバ枝部４ｂから正極端子Ｐ１に沿って伸びている。別言すると、Ｐバスバ先端部４ｃは、パワーカードの側面６１と平行なＰバスバ枝部４ｂから、正極端子Ｐ１の延出方向に向けて折れ曲がっている。コンデンサ接続部４ｄは、Ｐバスバ本体４ａの一端に続く部分であり、コンデンサユニット２５（後述）の一面に設けられたメタリコン電極２５ａと接続する。
【００３８】
Ｎバスバ３も、基本的な構造はＰバスバ４と同じである。Ｎバスバ３も、２本のＮバスバ本体３ａと、各Ｎバスバ本体３ａから分岐する複数のＮバスバ枝部３ｂ、及び、各Ｎバスバ枝部３ｂから折れ曲がり負極端子N１に沿って伸びているＮバスバ先端部３ｃで構成される。Ｎバスバ枝部３ｂは、積層方向と交差する方向（図中のＸ軸方向）に伸びている。Ｎバスバ枝部３ｂは、その平面がパワーカードの端子（正極端子Ｐ１、負極端子Ｎ１）が突出している側面６１と平行になるように伸びている。Ｎバスバ先端部３ｃは、パワーカードの側面６１と平行なＮバスバ枝部３ｂから、負極端子Ｎ１の延出方向に向けて折れ曲がっている。さらに、他のＮバスバ枝部３ｂと異なる特別のＮバスバ枝部３ｇと、コンデンサユニット２５と接続されるコンデンサ接続部３ｄを備える。なお、コンデンサ接続部３ｄは、Ｎバスバ本体３ａの一端に続く部分であり、コンデンサユニット２５（後述）の一面に設けられた他方のメタリコン電極２５ｂと接続する。
【００３９】
Ｐバスバ本体４ａとＮバスバ本体３ａは積層ユニットの積層方向に併走している。別言すれば、Ｐバスバ本体４ａとＮバスバ本体３ａは重なっている。図６、図７の符号３４Ａが、バスバ本体（Ｐバスバ本体４ａとＮバスバ本体３ａ）同士が重なりあった部分を示している。
【００４０】
Ｎバスバ枝部３ｂは、Ｐバスバ枝部４ｂと同じ方向に延出しており、Ｎバスバ枝部３ｂとＰバスバ枝部４ｂも併走している。別言すれば、Ｎバスバ枝部３ｂとＰバスバ枝部４ｂも重なっている。図６と図７の符号３４Ｂが、バスバ枝部同士が重なりあった部分を示している。なお、ＰバスバとＮバスバが重なりあっている部分では、夫々のバスバに絶縁コーティングが施されており、Ｐバスバ４とＮバスバ３が電気的に接触することはない。また、図６では、２本のバスバ本体の一方だけに、オーバーラップ部３４Ａ、３４Ｂを図示してあるが、他方のバスバ本体でも同様である。
【００４１】
図７によく示されているように、Ｐバスバ枝部４ｂとＮバスバ枝部３ｂは重なり合いながら、積層方向に並ぶ正極端子Ｐ１と負極端子Ｎ１の間を伸びている。Ｐバスバ枝部４ｂからＰバスバ先端部４ｃが折れ曲がり正極端子Ｐ１に沿って伸びている。Ｎバスバ枝部３ｂからＮバスバ先端部３ｃが折れ曲がり負極端子N１に沿って伸びている。図７によく示されているように、Ｐバスバ先端部４ｃとＮバスバ先端部３ｃは、バスバ枝部同士のオーバーラップ部３４Ｂを挟んで互いに対向するように折れ曲がっている。そして、Ｐバスバ先端部４ｃが正極端子Ｐ１と接合しており、Ｎバスバ先端部３ｃが負極端子Ｎ１と接合している。接合は、例えば溶接による。
【００４２】
上記説明したように、Ｐバスバ４とＮバスバ３は、本体と枝部で相互に重なっている。すなわち、Ｐバスバ４とＮバスバ３は重なり合っている面積が大きい。Ｐバスバ４とＮバスバ３には、互いに反対方向に電流が流れる。それゆえ、Ｐバスバ４を流れる電流に誘導される磁界と、Ｎバスバ３を流れる電流に誘導される磁界は向きが逆方向であり、互いに打ち消し合う。バスバを流れる電流に誘導される磁界が打ち消し合うことで、バスバに生じるインダクタンスが低減される。
【００４３】
パワーカードの数は奇数（７枚）であるため、一つのパワーカードについては、バスバ枝部同士が重なり合うことがない。図４に示すように、コンデンサユニット２５に最も近いパワーカードＰＣ７の正極端子Ｐ１と負極端子Ｎ１にそれぞれ接続されるＰバスバ枝部４ｇとＮバスバ枝部３ｇは、他のバスバ枝部と重ならない。Ｐバスバ４とＮバスバ３は、複数のバスバ枝部（Ｐバスバ枝部４ｂとＮバスバ枝部３ｂ）を有し、その一部同士がオーバーラップしている。少なくとも１組の正極端子Ｐ１と負極端子Ｎ１の間で枝部同士が重なり合っていれば、本明細書が開示するインダクタンス低減の効果が見込める。
【００４４】
コンデンサユニット２５は、図１に示した平滑化コンデンサ６を収容しているモジュールである。図１と図４を参照すると理解されるように、コンデンサユニット２５に最も近いパワーカードＰＣ７は、電圧コンバータ回路１２を構成するスイッチング素子Ｔ７、Ｔ８を収容している。別言すれば、電圧コンバータ回路１２を構成するスイッチング素子Ｔ７、Ｔ８を収容するパワーカードＰＣ７が、インバータ回路１３ａ（１３ｂ）を構成するスイッチング素子を収容した他のパワーカード群ＰＣ１−ＰＣ６よりもコンデンサユニット２５の近くに配置されている。コンデンサユニット２５は積層ユニット２０の積層方向に配置されており、Ｐバスバ本体４ａ（Ｎバスバ本体３ａ）は、積層ユニット２０の積層方向に直線的に伸びている。それゆえ、コンデンサユニット２５からパワーカードＰＣ７までのＰバスバ４（Ｎバスバ３）の長さがコンデンサユニット２５と他のパワーカードまでのＰバスバ４（Ｎバスバ３）の長さよりも短い。このことは、コンデンサユニット２５からパワーカードＰＣ７に含まれるスイッチング素子までの導電経路の長さがコンデンサユニット２５と他のパワーカードに含まれるスイッチング素子までの導電経路の長さよりも短いことを表している。
【００４５】
コンデンサユニット２５（平滑化コンデンサ６）からパワーカードＰＣ７（電圧コンバータ回路１２のスイッチング素子Ｔ７、Ｔ８）までの導電経路を短くする方が、コンデンサユニットからインバータ回路１３ａ、１３ｂのスイッチング素子Ｔ１−Ｔ６までの導電経路を短くするよりも電力損失を抑制する。これは、一般に、キャリア周波数（スイッチング素子に与えるＰＷＭ信号の基礎となる周波数）が高いほど導電経路のインダクタンスに起因するロスが大きく、高いキャリア周波数の電流が通る導電経路のインダクタンスを低減することで、低いキャリア周波数の電流が通る導電経路のインダクタンスを下げるよりも大きな電力損失低減効果が得られるからである。なお、電圧コンバータ回路のキャリア周波数がインバータ回路のキャリア周波数より高め易いのは、インバータ回路にはモータが接続されているからである。キャリア周波数を上げる場合、スイッチング速度の速いスイッチング素子を使う必要があるが、スイッチング速度の高速化はサージ電圧の増加を招き、モータがそのサージ電圧に耐えられないからである。一方、電圧コンバータには、モータなど、耐サージ電圧が比較的に低いデバイスが接続されていないため、キャリア周波数を高め、応答速度の速いスイッチング素子を採用することで、より効果的に電力損失を減らすことができる。そして、コンデンサ６と電圧コンバータ回路用のスイッチング素子との間のインダクタンスを抑制することで、電力損失をさらに抑制することができる。なお、電動車両の一例では、電圧コンバータ回路のキャリア周波数は１０ｋＨｚ程度であり、他方、インバータ回路のスイッチング素子のキャリア周波数は５ｋＨｚ程度である。
【００４６】
第１実施例の電力変換器２では、Ｐバスバ３は、積層ユニット２０の積層方向（図中のＺ軸方向）に伸びる２本の腕を有している。夫々の腕が、積層方向に並んだ一つおきのパワーカードの正極端子Ｐ１と接続している。すなわち、複数のパワーカードとコンデンサユニット２５を２本の腕で接続することで、電流を分散に、バスバに生じる発熱を抑制している。Ｎバスバ４についても同様である。
【００４７】
（第２実施例）図８に、第２実施例の電力変換器２０２を含む電動車両２００の電力系のブロック図を示す。第２実施例の電力変換器２０２は、回路としては第１実施例の電力変換器２と同じである。電力変換器２０２は、ハードウエア構成が第１実施例の電力変換器２とは異なる。第１実施例の電力変換器２では、２個のスイッチング素子の直列回路が一つのパワーカードに収められていたが、電力変換器２０２では３個のスイッチング素子が収められているパワーカードを採用している。
【００４８】
電力変換器２０２のパワーカードは、３個のスイッチング素子を収容している。図８に示すように、インバータ回路１３ａの上アームの３個のスイッチング素子Ｔ１、Ｔ２、Ｔ３が一つのパワーカードＰＣ１１に収められており、下アームの３個のスイッチング素子Ｔ４、Ｔ５、Ｔ６が別の一つのパワーカードＰＣ１２に収められている。
【００４９】
パワーカードＰＣ１１の内部の回路配線を説明する模式図を図９Ａに示す。パワーカードＰＣ１１の内部では３個のスイッチング素子Ｔ１、Ｔ２、Ｔ３の高電位側の電極が接続されている。高電位側の電極は、Ｐ１とＰ２の２個の正極端子としてパワーカードの外に延出されている。また、スイッチング素子Ｔ１の低電位側の電極は、Ｕ相出力端子ＱＵとしてパワーカードの外に延出されている。同様に、スイッチング素子Ｔ２、Ｔ３の低電位側の電極は、それぞれ、Ｖ相出力端子ＱＶ、Ｗ相出力端子ＱＷとしてパワーカードの外に延出されている。また、スイッチング素子Ｔ１、Ｔ２、Ｔ３の夫々のゲート電極は、ゲート端子ＱＧとして、パワーカードの外に延出されている。図９Ａでは、各スイッチング素子に逆並列に接続されるダイオードの図示を省略している。
【００５０】
次に、パワーカードＰＣ１２の内部の回路配線を説明する模式図を図９Ｂに示す。パワーカードＰＣ１２の内部では、３個のスイッチング素子Ｔ４、Ｔ５、Ｔ６の低電位側の電極が接続されている。低電位側の電極は、Ｎ１とＮ２の２個の負極端子としてパワーカードの外に延出されている。また、スイッチング素子Ｔ４の高電位側の電極は、Ｕ相出力端子ＱＵとしてパワーカードの外に延出されている。同様に、スイッチング素子Ｔ５、Ｔ６の高電位側の電極は、それぞれ、Ｖ相出力端子ＱＶ、Ｗ相出力端子ＱＷとしてパワーカードの外に延出されている。また、スイッチング素子Ｔ４、Ｔ５、Ｔ６の夫々のゲート電極は、ゲート端子ＱＧとして、パワーカードの外に延出されている。図９Ｂでも、各スイッチング素子に逆並列に接続されるダイオードの図示を省略している。
【００５１】
インバータ回路１３ｂも、インバータ回路１３ａと同様に上アームの３個のスイッチング素子を収容したパワーカードＰＣ１３と、下アームの３個のスイッチング素子を収容したパワーカードＰＣ１４を備えている。パワーカードＰＣ１３、ＰＣ１４の回路配線は、それぞれ、図９Ａに示したパワーカードＰＣ１１の回路配線、図９Ｂに示したパワーカードＰＣ１２の回路配線と同じである。
【００５２】
また、電圧コンバータ回路１２の上アームスイッチング素子Ｔ７と下アームのスイッチング素子Ｔ８は、それぞれ、パワーカードＰＣ１５、ＰＣ１６に収められている。パワーカードＰＣ１５では、スイッチング素子Ｔ７の高電位側の電極が２個の正極端子Ｐ１、Ｐ２としてパワーカードの外部に延出されている。図１０に示すように、スイッチング素子Ｔ７の低電位側の電極は、負極端子Ｎ１として、パワーカードＰＣ１５の外部に延出されている。パワーカードＰＣ１６では、スイッチング素子Ｔ８の低電位側の電極が２個の負極端子Ｎ１、Ｎ２としてパワーカードの外部に延出されている。スイッチング素子Ｔ８の高電位側の電極は、正極端子Ｐ１として、パワーカードＰＣ１６の外部へ延出されている。パワーカードＰＣ１５とＰＣ１６は、それぞれ、一つのスイッチング素子を収容している。パワーカードＰＣ１５、ＰＣ１６の内部の回路配線については説明を省略する。
【００５３】
上記に説明したように、上アームの３個のスイッチング素子Ｔ１、Ｔ２、Ｔ３を収容したパワーカードＰＣ１１、ＰＣ１３は、２個の正極端子Ｐ１、Ｐ２を備えるが、負極端子は備えない。逆に、下アームの３個のスイッチング素子Ｔ４、Ｔ５、Ｔ６を収容したパワーカードＰＣ１２、ＰＣ１４は、２個の負極端子Ｎ１、Ｎ２を備えるが、正極端子は備えない。また、電圧コンバータ回路１２の上アームのスイッチング素子Ｔ７を収容したパワーカードＰＣ１５も２個の正極端子Ｐ１、Ｐ２を備える。電圧コンバータ回路１２の下アームのスイッチング素子Ｔ８を収容したパワーカードＰＣ１６は、２個の負極端子Ｎ１、Ｎ２を備える。
【００５４】
なお、パワーカードＰＣ１５から伸びる負極端子Ｎ１と、パワーカードＰＣ１６から伸びる正極端子Ｐ１は、バスバ２６で接続される（図１０参照）。バスバ２６により、電圧コンバータ回路１２のスイッチング素子Ｔ７とＴ８が直列に接続される。
【００５５】
電力変換器２０２の１４個のスイッチング素子は、６枚のパワーカードＰＣ１１−ＰＣ１６に分散して収められている。６枚のパワーカードは７個の冷却器２１と交互に積層されて積層ユニット２２０を構成する。図１０に積層ユニット２２０の斜視図を示す。図１０では、正極端子Ｐ１、Ｐ２と負極端子Ｎ１、Ｎ２を別々のハッチングで示してある。
【００５６】
第２実施例の電力変換器２０２では、各パワーカードは、２個の正極端子Ｐ１、Ｐ２、あるいは、２個の負極端子Ｎ１、Ｎ２を有している。一のパワーカードの正極端子Ｐ１（Ｐ２）と、別のパワーカードの負極端子Ｎ１（Ｎ２）とは、積層方向に交互に並んでいる。即ち、積層ユニット２２０では、一のパワーカードの正極端子Ｐ１（Ｐ２）と別のパワーカードの負極端子Ｎ１（Ｎ２）が交互に並ぶ列を２列有している。そして、後述するように、その２列の夫々に対して、ＰバスバとＮバスバの組が備えられている。
【００５７】
図１１−図１３を参照してバスバの構造を説明する。図１１は、Ｐバスバ２０４とＮバスバ２０３を組み付けた積層ユニット２２０の斜視図である。図１１ではコンデンサユニット２５も積層ユニット２２０の積層方向に配置されている。図１２は、Ｐバスバ２０４、Nバスバ２０３、及び、コンデンサユニット２５のアセンブリの分解斜視図である。図１３は、Ｐバスバ２０４、Nバスバ２０３、及び、コンデンサユニット２５のアセンブリの斜視図である。Ｐバスバ２０４、Ｎバスバ２０３はその形状が複雑であり、さらにＰバスバ２０４とＮバスバ２０３は部分的にオーバーラップしているので、図１１−図１３を相互に参照して夫々のバスバの形状を理解されたい。なお、図１１において符号Ｃが示す破線で囲まれた部分の拡大図は、図７と同じである。それゆえ、図１１−図１３とともに図７も参照されたい。
【００５８】
まず、図１２を参照されたい。Ｐバスバ２０４は一枚の金属板から作られているが、その形状は、Ｐバスバ本体２０４ａ、Ｐバスバ枝部２０４ｂ、Ｐバスバ先端部２０４ｃ、及び、コンデンサ接続部２０４ｄに分けられる。図によく示されているように、Ｐバスバ２０４は、２本のバスバ本体２０４ａを有しており、夫々のＰバスバ本体２０４ａから複数のＰバスバ枝部２０４ｂが分岐している。図１１に示されているように、Ｐバスバ本体２０４ａは、積層ユニット２２０の積層方向に沿って伸びている。
【００５９】
複数のＰバスバ枝部２０４ｂは、Ｐバスバ本体２０４ａから分岐している。Ｐバスバ枝部２０４ｂは、積層方向と交差する方向（図中のＸ軸方向）に伸びている。Ｐバスバ先端部２０４ｃは、各Ｐバスバ枝部２０４ｂから折れ曲がっている。Ｐバスバ先端部２０４ｃは、各パワーカードの正極端子Ｐ１（あるいはＰ２）と対向するようにＰバスバ枝部２０４ｂから折れ曲がっている。コンデンサ接続部２０４ｄは、Ｐバスバ本体２０４ａの一端に続く部分であり、コンデンサユニット２５の一面に設けられたメタリコン電極２５ａと接続する。
【００６０】
Ｎバスバ２０３も、基本的な構造はＰバスバ２０４と同じである。Ｎバスバ２０３も、２本のＮバスバ本体２０３ａと、各Ｎバスバ本体２０３ａから分岐する複数のＮバスバ枝部２０３ｂ、及び、各Ｎバスバ枝部２０３ｂから折れ曲がっているＮバスバ先端部２０３ｃで構成される。コンデンサ接続部２０３ｄは、Ｎバスバ本体２０３ａの一端に続く部分であり、コンデンサユニット２５の一面に設けられた他方のメタリコン電極２５ｂと接続する。
【００６１】
Ｐバスバ本体２０４ａとＮバスバ本体２０３ａは積層ユニット２２０の積層方向に併走している。別言すれば、Ｐバスバ本体２０４ａとＮバスバ本体２０３ａは重なっている。図１３の符号３４Ａが、バスバ本体同士が重なりあった部分を示している。
【００６２】
Ｎバスバ枝部２０３ｂは、Ｐバスバ枝部２０４ｂと同じ方向に延出しており、Ｎバスバ枝部２０３ｂとＰバスバ枝部２０４ｂも併走している。別言すれば、Ｎバスバ枝部２０３ｂとＰバスバ枝部２０４ｂも重なっている。図１３の符号３４Ｂが、バスバ枝部同士が重なりあった部分を示している。なお、図１３では、重なり合っているＰバスバ本体２０４ａとＮバスバ本体２０３ａの組が２セットあり、その一方にのみ符号３４Ａ、３４Ｂを付しているが、他方の組でも同様である。また、ＰバスバとＮバスバが重なりあっている部分では、夫々のバスバに絶縁コーティングが施されており、Ｐバスバ２０４とＮバスバ２０３が電気的に接触することはない。
【００６３】
Ｐバスバ枝部２０４ｂからＰバスバ先端部２０４ｃが折れ曲がっており、Ｎバスバ枝部２０３ｂからＮバスバ先端部２０３ｃが折れ曲がっている。図１２、図１３によく示されているように、バスバ枝部２０４ｂとＮバスバ枝部２０３ｂは重なっており、Ｐバスバ先端部２０４ｃとＮバスバ先端部２０３ｃは、バスバ枝部同士のオーバーラップ部分３４Ｂを挟んで互いに対向するように折れ曲がっている。
【００６４】
図１１によく示されているように、Ｐバスバ枝部２０４ｂとＮバスバ枝部２０３ｂは重なり合って、積層方向に並ぶ正極端子Ｐ１（Ｐ２）と負極端子Ｎ１（Ｎ２）の間に伸びている。そして、互いに対向するようにバスバ枝部から折れ曲がっているＰバスバ先端部２０４ｃとＮバスバ先端部２０３ｃがそれぞれ、正極端子Ｐ１（Ｐ２）、負極端子Ｎ１（Ｎ２）と接続している。
【００６５】
上記説明したように、Ｐバスバ２０４とＮバスバ２０３は、本体と枝部で相互に重なっている。すなわち、Ｐバスバ２０４とＮバスバ２０３は重なり合っている面積が大きい。Ｐバスバ２０４とＮバスバ２０３には、互いに反対方向に電流が流れる。それゆえ、Ｐバスバ２０４を流れる電流に誘導される磁界と、Ｎバスバ２０３を流れる電流に誘導される磁界は向きが逆方向となり、互いに打ち消し合う。バスバを流れる電流に誘導される磁界が打ち消し合うことで、バスバに生じるインダクタンスが低減される。
【００６６】
第２実施例の電力変換器２０２では、各パワーカードは２個の正極端子Ｐ１、Ｐ２あるいは２個の負極端子Ｎ１、Ｎ２を有している。積層ユニット２２０は、一のパワーカードの正極端子Ｐ１（Ｐ２）と別のパワーカードの負極端子Ｎ１（Ｎ２）が交互に並ぶ列を２列有している。そして、その２列の夫々に対して、Ｐバスバ（Ｐバスバ本体２０４ａ）とＮバスバ（Ｎバスバ本体２０３ａ）の組が備えられている。また、Ｐバスバ本体２０４ａ、及びＮバスバ本体２０３ａを２重にすることにより、電流経路の断面積が増え、バスバの電力伝送損失が小さくなる。
【００６７】
第２実施例の電力変換器２０２でも、電圧コンバータ用のスイッチング素子Ｔ７、Ｔ８を収容するパワーカードＰＣ１５、ＰＣ１６が、インバータ回路用のスイッチング素子Ｔ１−Ｔ６を収容するパワーカードＰＣ１１−ＰＣ１４よりもコンデンサユニット２５の近くに配置されている。この配置は、第１実施例の電力変換器２と同じである。ゆえに、電力変換器２０２は、第１実施例の電力変換器２と同じ利点、即ち、電力コンバータに関するインダクタンスをインバータ回路に関するインダクタンスより一層低減することで電力変換器の電力損失を低減する、という利点を有する。
【００６８】
実施例で説明した技術に関する留意点を述べる。Ｐバスバ本体（Ｎバスバ本体）、Ｐバスバ枝部（Ｎバスバ枝部）、及び、Ｐバスバ先端部（Ｎバスバ先端部）は、１枚の金属板から作られていてもよいし、別々の部品であってもよい。
【００６９】
実施例の電動車両は走行用のモータを２個備えた。本明細書が開示する技術は、１個のモータを備える電動車両、あるいは、３個以上のモータを備える電動車両に適用することも可能である。
【００７０】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７１】
２、２０２：電力変換器
３、２０３：Ｎバスバ（負極バスバ）
３ａ、２０３ａ：Ｎバスバ本体
３ｂ、２０３ｂ：Ｎバスバ枝部
３ｃ、２０３ｃ：Ｎバスバ先端部
３ｄ、２０３ｄ：コンデンサ接続部
４、２０４：Ｐバスバ（正極バスバ）
４ａ、２０４ａ：Ｐバスバ本体
４ｂ、２０４ｂ：Ｐバスバ枝部
４ｃ、２０４ｃ：Ｐバスバ先端部
４ｄ、２０４ｄ：コンデンサ接続部
５：フィルタコンデンサ
６：平滑化コンデンサ
７：リアクトル
１２：電圧コンバータ回路
１３ａ、１３ｂ：インバータ回路
２０、２２０：積層ユニット
２１：冷却器
２２：冷媒供給管
２３：冷媒排出管
２４ａ、２４ｂ：連結管
２５：コンデンサユニット
２５ａ、２５ｂ：メタリコン電極
２６：バスバ
３４Ａ、３４Ｂ：オーバーラップ部分
８１：バッテリ
８２：システムメインリレー
８３ａ、８３ｂ：モータ
１００、２００：電動車両
Ｎ１、Ｎ２：負極端子
Ｐ１、Ｐ２：正極端子
Ｔ１−Ｔ８：スイッチング素子
ＰＣ１−ＰＣ８、ＰＣ１１−ＰＣ１６：パワーカード
【図１】
2015136224.tif 000003
【図２】
2015136224.tif 000004
【図３】
2015136224.tif 000005
【図４】
2015136224.tif 000006
【図５】
2015136224.tif 000007
【図６】
2015136224.tif 000008
【図７】
2015136224.tif 000009
【図８】
2015136224.tif 000010
【図９Ａ】
2015136224.tif 000011
【図９Ｂ】
2015136224.tif 000012
【図１０】
2015136224.tif 000013
【図１１】
2015136224.tif 000014
【図１２】
2015136224.tif 000015
【図１３】
2015136224.tif 000016